(57)【要約】【課題】全体のトラフィックを複数の通信経路に振り分けることにより、同一パケットの二重受信や無線リソースの浪費を伴わず、高帯域な通信を可能とする。【解決手段】複数の通信経路に接続可能な位置に配置され、各通信端末の位置情報を管理するとともに、通信端末１，６間において送受信されるデータを中継する中継装置３と、複数の通信経路にそれぞれ接続するための複数の通信インターフェース１０４ａ〜１０４ｄと、通信経路毎の伝送容量に関する情報を取得する伝送容量取得部１０８と、伝送容量取得部１０８で取得された伝送容量に基づいて、オペレーションシステムから送出されるデータを、複数の通信インターフェースに分配するデータ分配部１１０と、データ分配部１１０によるデータの分配に関する情報を中継装置３に通知する通知部１０６とを有する。【選択図】　　　図２
2004096247.tif 000002
【特許請求の範囲】
【請求項１】
第１の通信端末から、複数の通信経路を介して、第２の通信端末に対してデータ通信を行うデータ通信システムであって、
前記複数の通信経路に接続可能な位置に配置され、各通信端末の位置情報を管理するとともに、前記通信端末間において送受信されるデータを中継する中継装置と、
前記第１の通信端末上でオペレーションシステムを実行するオペレーションシステム実行部と、
前記第１の通信端末側に設けられ、前記複数の通信経路にそれぞれ接続するための複数の通信インターフェースと、
前記第１の通信端末側に設けられ、前記通信経路毎の伝送容量に関する情報を取得する伝送容量取得部と、
前記第１の通信端末側に設けられ、前記伝送容量取得部で取得された伝送容量に基づいて、前記オペレーションシステムから送出されるデータを、前記複数の通信インターフェースに分配するデータ分配部と、
前記第１の通信端末側に設けられ、前記データ分配部によるデータの分配に関する情報を前記中継装置に通知する通知部と、
を有し、
前記中継装置は、各通信端末の位置情報とともに、通知されたデータの分配に関する情報を管理し、この管理された各情報に基づいてデータの中継を行う
ことを特徴とするデータ通信システム。
【請求項２】
前記通信端末は、前記データ分配部により分配されたデータに対して、分配されたデータを復元するためのシーケンス情報を付加するシーケンス管理部を備え、
前記中継装置は、前記シーケンス情報に基づいて、分配されたデータを復元し、第２の通信端末に対して中継する復元中継部を有する
ことを特徴とする請求項１に記載のデータ通信システム。
【請求項３】
前記データの分配に関する情報には、送受信されるデータの属性と、分配する通信経路とを対応付ける情報が含まれ、
前記第１の通信端末側に設けられ、前記オペレーションシステムから出力されるデータの属性を判別する属性解析部を備え、
前記データ分配部は、前記データの属性に基づいて、データを分配する
ことを特徴とする請求項１又は２に記載のデータ通信システム。
【請求項４】
前記中継装置は、前記第２の通信端末から送信されたデータを、前記データの分配に関する情報に基づいて、前記複数の通信経路に分配し、前記第１の通信端末に対して中継する分配中継部を有する
ことを特徴とする請求項１に記載のデータ通信システム。
【請求項５】
前記中継装置は、データ分配部により分配されたデータに対して、分配されたデータを復元するためのシーケンス情報を付加するシーケンス付加部を備え、
前記第１の通信端末は、前記シーケンス情報に基づいて、分配されたデータを復元するデータ復元部を有する
ことを特徴とする請求項４に記載のデータ通信システム。
【請求項６】
前記データの分配に関する情報には、送受信されるデータの属性と、分配する通信経路とを対応付ける情報が含まれ、
前記中継装置に設けられ、前記第２の通信端末から受信されるデータの属性を判別する属性解析部を備え、
前記データ分配部は、前記データの属性に基づいて、データを分配する
ことを特徴とする請求項４又は５に記載のデータ通信システム。
【請求項７】
第１の通信端末から、複数の通信経路を通じ、中継装置を介して、第２の通信端末に対してデータ通信を行うデータ通信方法であって、
前記第１の通信端末側において、前記通信経路毎の伝送容量に関する情報を取得するステップ（１）と、
前記第１の通信端末上で実行されるオペレーションシステムから送出されるデータを、前記ステップ（１）で取得された伝送容量に基づいて、前記複数の通信経路に分配し、前記中継装置に送信するステップ（２）と、
前記ステップ（２）によるデータの分配に関する情報を、前記第１の通信端末から、前記中継装置に通知するステップ（３）と、
前記中継装置において、各通信端末の位置情報とともに、通知されたデータの分配に関する情報を管理し、この管理された各情報に基づいてデータの中継を行うステップ（４）と
を有することを特徴とするデータ通信方法。
【請求項８】
前記ステップ（３）において、前記通信端末は、前記データ分配部により分配されたデータに対して、分配されたデータを復元するためのシーケンス情報を付加し、
前記ステップ（４）において、前記中継装置は、前記シーケンス情報に基づき、分配されたデータを復元し、第２の通信端末に対して中継する
ことを特徴とする請求項７に記載のデータ通信方法。
【請求項９】
前記データの分配に関する情報には、送受信されるデータの属性と、分配する通信経路とを対応付ける情報が含まれ、
前記ステップ（２）では、前記第１の通信端末側において、前記オペレーションシステムから出力されるデータの属性を判別し、
前記データの属性に基づいて、データを分配する
ことを特徴とする請求項７又は８に記載のデータ通信方法。
【請求項１０】
前記中継装置において、前記第２の通信端末から送信されたデータを、前記データの分配に関する情報に基づいて、前記複数の通信経路に分配し、前記第１の通信端末に対して中継する
ことを特徴とする請求項７に記載のデータ通信方法。
【請求項１１】
前記中継装置は、分配されたデータに対して、分配されたデータを復元するためのシーケンス情報を付加し、
前記第１の通信端末は、前記シーケンス情報に基づいて、分配されたデータを復元するデータ復元部を有する
ことを特徴とする請求項１０に記載のデータ通信方法。
【請求項１２】
前記データの分配に関する情報には、送受信されるデータの属性と、分配する通信経路とを対応付ける情報が含まれ、
前記中継装置において、前記第２の通信端末から受信されるデータの属性を判別し、前記データの属性に基づいて、データを分配する
ことを特徴とする請求項１０又は１１に記載のデータ通信方法。
【請求項１３】
複数の通信経路を通じ、中継装置を介して、他の通信端末に対してデータ通信を行う通信端末であって、
オペレーションシステムを実行するオペレーションシステム実行部と、
前記複数の通信経路にそれぞれ接続するための複数の通信インターフェースと、
前記通信経路毎の伝送容量に関する情報を取得する伝送容量取得部と、
前記伝送容量取得部で取得された伝送容量に基づいて、前記オペレーションシステムから送出されるデータを、前記複数の通信インターフェースに分配するデータ分配部と、
前記データ分配部によるデータの分配に関する情報を前記中継装置に通知する通知部と
を有することを特徴とする通信端末。
【請求項１４】
前記データ分配部により分配されたデータに対して、分配されたデータを復元するためのシーケンス情報を付加するシーケンス管理部を備えることを特徴とする請求項１３に記載の通信端末。
【請求項１５】
前記データの分配に関する情報には、送受信されるデータの属性と、分配する通信経路とを対応付ける情報が含まれ、
前記オペレーションシステムから出力されるデータの属性を判別する属性解析部を備え、
前記データ分配部は、前記データの属性に基づいて、データを分配する
ことを特徴とする請求項１３又は１４に記載の通信端末。
【請求項１６】
前記通知部により通知された前記データの分配に関する情報に基づいて、前記複数の通信経路に分配されて中継されたデータを取得するデータ受信部と、
前記中継装置により付加され、前記分配されたデータを復元するためのシーケンス情報に基づいて、分配されたデータを復元するデータ復元部と
を有することを特徴とする請求項１３に記載の通信端末。
【請求項１７】
第１の通信端末から、複数の通信経路を介して、第２の通信端末に対してデータ通信を行う際に、データの中継を行う中継装置であって、
各通信端末の位置情報とともに、通知されるデータの分配に関する情報を前記第１の通信端末より取得する通知取得部と、
前記各通信端末の位置情報及び前記データの分配に関する情報を蓄積する位置情報データベースと、
前記通信端末において分配され、前記複数の通信経路を介して受信されるデータを受信し、前記位置情報データベースに蓄積された各情報に基づいてデータを復元する復元部と、
復元されたデータを、前記第２の通信端末に対して中継する中継部と
を有することを特徴とする中継装置。
【請求項１８】
前記通信端末により分配されたデータに対して付加され、該分配されたデータを復元するためのシーケンス情報を取得するシーケンス管理部を備え、
前記復元部は、前記シーケンス情報に基づいて、分配されたデータを復元することを特徴とする請求項１７に記載の中継装置。
【請求項１９】
前記第２の通信端末から送信されたデータを、前記データの分配に関する情報に基づいて、前記複数の通信経路に分配し、前記第１の通信端末に対して送信するデータ分配部を有する
ことを特徴とする請求項１７に記載の中継装置。
【請求項２０】
前記中継装置は、データ分配部により分配されたデータに対して、分配されたデータを復元するためのシーケンス情報を付加するシーケンス付加部を備えることを特徴とする請求項１９に記載の中継装置。
【請求項２１】
前記データの分配に関する情報には、送受信されるデータの属性と、分配する通信経路とを対応付ける情報が含まれ、
前記第２の通信端末から受信されるデータの属性を判別する属性解析部を備え、
前記データ分配部は、前記データの属性に基づいて、データを分配する
ことを特徴とする請求項１９又は２０に記載の中継装置。
【発明の詳細な説明】
【０００１】
【発明の属する技術分野】
本発明は、異なる無線アクセス網など、複数の通信経路を介して、第１の通信端末から、第２の通信端末に対してデータ通信を行うデータ通信システム、データ通信方法、通信端末及び中継装置に関する。
【０００２】
【従来の技術】
従来、既存の移動通信網において、移動中の通信端末がパケット通信を行う際には、通信開始時に設定した無線アクセス網におけるある１つの無線リンクを用いて通信を行っている。
【０００３】
通信端末が移動する場合は、移動先で無線リンクを新たに設定し、移動前に使用していた無線リンクから、新たに設定した無線リンクに切り替えることで通信を継続させている。
【０００４】
従来の移動通信網では、無線アクセス網毎に通信端末の位置情報が管理されており、異なる無線アクセス網間を移動した際には、通信を維持することができず、移動先の無線システムで再度通信を設定しなければならないという問題点があった。
【０００５】
上記を解決する技術として、異なる無線アクセス網間を移動した際に、ＩＰレイヤで通信端末の位置情報を管理し、通信を可能とするＭｏｂｉｌｅ　ＩＰ［１］、［２］がある。
【０００６】
このＭｏｂｉｌｅ　ＩＰでは、位置情報をホームエージェント（以下、「ＨＡ」と称する。）で管理しており、通信端末は、ホームアドレスと呼ばれる通信端末固有のＩＰアドレスと在圏している無線アクセス網経由で取得した位置情報（在圏先で取得したＩＰアドレス）の組み合わせをＨＡに登録する。ＨＡはその位置情報を元に通信端末宛のパケットを転送する。
【０００７】
【発明が解決しようとする課題】
しかしながら、従来の技術では、無線アクセス網毎に通信端末の位置情報を管理しており、異なる無線アクセス網間を移動した際には通信を維持することができず、移動先の無線システムで再度通信を設定しなければならないという問題があった。
【０００８】
また、上記を解決する技術として、異なる無線アクセス網間を移動した際にＩＰレイヤで通信端末の位置情報を管理し、通信を可能とするＭｏｂｉｌｅ　ＩＰがあり、異なる複数の無線アクセス網の通信エリアが重複している場合には、ＨＡに対してそれぞれの無線アクセス網で取得した位置情報を複数登録することによって、複数の無線アクセス網からパケットを受信することが可能であるが、この場合、ＨＡまで届いたパケットを単純に複数の宛先に対して複製して送付することになり、通信端末は同一パケットを二重に受信し、また無線のリソースを浪費してしまうという問題点があった。
【０００９】
そこで、本発明は、以上の点に鑑みてなされたもので、重複したデータの送信を回避することにより、通信リソースの浪費を低減させつつ、移動中の通信端末から複数の通信経路を通じたデータの送受信を可能とすることのできるデータ通信システム、データ通信方法、通信端末及び中継装置を提供することを目的とする。
【００１０】
【課題を解決するための手段】
上記課題を解決するために、本発明は、第１の通信端末から、複数の通信経路を通じ、中継装置を介して、第２の通信端末に対してデータ通信を行う際に、第１の通信端末側において、通信経路毎の伝送容量に関する情報を取得し、第１の通信端末上で実行されるオペレーションシステムから送出されるデータを、取得された伝送容量に基づいて、複数の通信経路に分配し、中継装置に送信し、データの分配に関する情報を、第１の通信端末から、中継装置に通知し、中継装置において、各通信端末の位置情報とともに、通知されたデータの分配に関する情報を管理し、この管理された各情報に基づいてデータの中継を行う。
【００１１】
このような本発明によれば、第１の通信端末から第２の通信端末へデータを送信する際に、各通信経路の能力に応じて全体のトラフィックを振り分けることにより、同一パケットの二重受信や無線リソースの浪費を伴わず、高帯域な通信が可能となる。
【００１２】
上記発明において通信端末は、データ分配部により分配されたデータに対して、分配されたデータを復元するためのシーケンス情報を付加し、中継装置では、シーケンス情報に基づき、分配されたデータを復元し、第２の通信端末に対して中継することが好ましい。この場合には、第１の通信端末から第２の通信端末へデータを送信する際に、送信先に到着するデータの順序が逆転するようなときであっても、適切にデータの復元を行うことができる。
【００１３】
上記発明においてデータの分配に関する情報には、送受信されるデータの属性と、分配する通信経路とを対応付ける情報が含まれ、第１の通信端末側に設けられ、オペレーションシステムから出力されるデータの属性を判別する属性解析部を備え、データ分配部は、データの属性に基づいて、データを分配することが好ましい。この場合には、第１の通信端末から第２の通信端末へデータを送信する際に、例えば、ＯＳ上で実行されるアプリケーションや、通信経路を使用するユーザなど、データの属性に応じて通信経路を使い分けることでき、広帯域かつ高効率な通信が可能となる。
【００１４】
上記発明において中継装置は、第２の通信端末から送信されたデータを、データの分配に関する情報に基づいて、複数の通信経路に分配し、第１の通信端末に対して中継することが可能である。この場合には、第２の通信端末から第１の通信端末へデータを送信する際に、各通信経路の能力に応じて全体のトラフィックを振り分けることにより、同一パケットの二重受信や無線リソースの浪費を伴わず、高帯域な通信が可能となる。
【００１５】
上記発明において中継装置は、分配されたデータに対して、分配されたデータを復元するためのシーケンス情報を付加し、第１の通信端末は、シーケンス情報に基づいて、分配されたデータを復元するデータ復元部を有することが好ましい。この場合には、第２の通信端末から第１の通信端末へデータを送信する際に、送信先に到着するデータの順序が逆転するようなときであっても、適切にデータの復元を行うことができる。
【００１６】
上記発明においてデータの分配に関する情報には、送受信されるデータの属性と、分配する通信経路とを対応付ける情報が含まれ、中継装置に設けられ、第２の通信端末から受信されるデータの属性を判別する属性解析部を備え、データ分配部は、データの属性に基づいて、データを分配することが好ましい。この場合には、この場合には、第２の通信端末から第１の通信端末へデータを送信する際に、例えば、ＯＳ上で実行されるアプリケーションや、通信経路を使用するユーザなど、データの属性に応じて通信経路を使い分けることでき、広帯域かつ高効率な通信が可能となる。
【００１７】
【発明の実施の形態】
［第１実施形態］
（データ通信システムの基本構成）
以下に本発明の第１実施形態に係るデータ通信システムについて詳細に説明する。図１は、本実施形態に係るデータ通信システムの全体を示す概念図である。
【００１８】
同図に示すように、本実施形態に係るデータ通信システムでは、第１の通信端末１から、無線アクセスシステム２１〜２３により管理された複数の通信経路を通じ、中継装置３を介して、第２の通信端末６に対してデータ通信を行う。
【００１９】
第１の通信端末１は、重複する２つのエリア１１及び１２に在圏する移動可能な通信機器である。この第１の通信端末１は、本実施形態では、図に示すように、モバイルコンピュータであるが、例えば携帯電話等の通信機器であってもよい。
【００２０】
無線アクセスシステム２１〜２３は、それぞれエリア１１，１２及び１３を管轄する無線基地局であり、各エリア内に在圏する通信端末とパケットの送受信による無線通信が可能であるとともに、ＩＰネットワーク４上に位置する中継装置３に有線回線により接続されている。
【００２１】
中継装置３は、ＩＰネットワーク４上に配置され、各通信端末の位置情報を登録し、管理するとともに、その位置情報に基づいて通信端末宛のパケットを転送・中継するホームエージェントである。本実施形態において、中継装置３は、インターネット５やその他の通信回線を通じて、第２の通信端末６に接続が可能となっている。
【００２２】
特に本実施形態に係る中継装置３は、異なる複数の無線アクセス網の通信エリアが重複している場合において、各通信端末が無線アクセス網でそれぞれ取得した位置情報を登録する際に、この位置情報と併せて、無線アクセス網の伝送容量に応じて全体のトラフィックを振り分けるための情報を登録する機能を有する。これについては、後述する。
【００２３】
（第１の通信端末の構成）
図２は、本実施形態に係る第１の通信端末１の内部構成を示すブロック図である。
【００２４】
図２に示すように、第１の通信端末１は、オペレーションシステム１０２上で実行されるアプリケーション１０１と、複数の無線アクセスシステム２１〜２４に対して無線リンクを確立するための通信インターフェース１０４ａ〜１０４ｄと、オペレーションシステム１０２と各ハードウェアを接続するためのミドルウェア１０３と、前記複数の通信経路にそれぞれ接続するための複数の通信インターフェース１０４ａ〜１０４ｄとを備えている。
【００２５】
ミドルウェア１０３は、図３に示すように、各通信インターフェース１０４ａ〜１０４ｄに接続され、送受信されるデータを送信と受信とに切り替える切替部１０５と、オペレーションシステム１０２に対してデータの入出力を行うＯＳインターフェース１１３とを備えている。
【００２６】
また、ミドルウェア１０３は、データ分配部１１０と、シーケンス管理部１１１と、データ復元部１１２と、通知部１０６と、位置情報取得部１０７と、伝送容量取得部１０８と、分配量決定部１０９とを備えている。
【００２７】
データ分配部１１０は、分配量決定部１０９で決定されたトラフィック量に基づいて、オペレーションシステム１０２から送出されるデータを、複数の通信インターフェース１０４ａ〜１０４ｄに分配するモジュールであり、本実施形態では、分配量決定部１０９に接続されており、分配量決定部１０９により決定されたトラフィック分配量に従って、トラフィックの分配を行う。
【００２８】
シーケンス管理部１１１は、データ分配部１１０により分配されたデータに対して、分配されたデータを復元するためのシーケンス情報を付加するモジュールである。このシーケンス情報には、分配されたデータを復元するための、データ順序等が含まれる。
【００２９】
データ復元部１１２は、通知部１０６により、中継装置３に通知したデータの分配に関する情報に基づいて、複数の通信経路に分配されて中継されたデータを取得し、シーケンス情報に基づいて、分配されたデータを復元するモジュールであり、このデータ復元部１１２で復元されたデータは、ＯＳインターフェース１１３を通じて、オペレーションシステム１０２に送出される。
【００３０】
通知部１０６は、データ分配部１１０によるデータの分配に関する情報を中継装置３に通知するモジュールであり、本実施形態では、位置情報取得部１０７で取得された位置情報、及び伝送容量取得部１０８で取得された各通信経路の伝送容量に関する情報が、中継装置３に対して位置登録情報と合わせて通知される。
【００３１】
位置情報取得部１０７は、当該通信端末１が在圏するエリア１１及び１２内における位置情報を、無線アクセスシステム２１，２２から取得するモジュールであり、各無線アクセスシステムから、当該通信端末１の位置情報を取得するモジュールであり、取得された位置情報は、通知部１０６に入力される。
【００３２】
伝送容量取得部１０８は、通信経路毎の伝送容量に関する情報を取得するモジュールであり、各無線アクセスシステム２１〜２４に対して問い合わせを行い、通信可能な伝送容量を取得する。なお、この伝送容量が、加入契約時に固定的に定められている場合には、この伝送容量取得部１０８に内蔵された記憶メモリにその値を記憶し、この記憶メモリから取得された情報を、伝送容量として通知部１０６に出力する機能も有している。
【００３３】
分配量決定部１０９は、伝送容量取得部１０８で取得された伝送容量に基づいて、オペレーションシステム１０２から送出されるデータを、複数の通信インターフェース１０４ａ〜１０４ｄに分配するトラフィック量を決定するモジュールであり、決定された各伝送容量は、データ分配部１１０に出力される。
【００３４】
（中継装置の構成）
図４は、本実施形態に係る中継装置３の内部構成を示すブロック図である。同図に示すように、中継装置３は、切替部３１と、通知取得部３２と、位置情報登録部３３と、分配量決定部３４と、データ分配部３５と、シーケンス管理部３６と、データ復元部３７と、中継部３８と、位置情報データベース３９とを備えている。
【００３５】
切替部３１は、各通信インターフェースに接続され、これを介して送受信されるデータを振り分けるスイッチ回路である。具体的には、送信時にあっては、データ分配部３５で分配されたデータを送信データとして各通信インターフェースに出力し、受信時にあっては、各通信インターフェースで受信されたデータが入力され、受信データとしてデータ復元部３７に出力する。
【００３６】
通知取得部３２は、各通信端末の位置情報とともに、各通信経路の伝送容量など、データの分配に関する情報を第１の通信端末１より取得するモジュールであり、通知された位置情報や、伝送容量に関する情報を位置情報登録部３３を通じて、位置情報データベース３９に登録する。
【００３７】
位置情報データベース３９は、各通信端末の位置情報及び前記データの分配に関する情報を蓄積するデータベースであり、本実施形態では、通信端末の位置情報及びデータ分配に関する情報を位置管理テーブルとして格納している。この情報管理テーブルの例を表１に示す。
【００３８】
【表１】
2004096247.tif 000003
表１に示すように、情報管理テーブルでは、通信端末を識別するためのホームアドレスＨｏｍｅＡｄｄｒと、各通信経路における在圏先を示すアドレス、容量、及び割合とが対応付けられて蓄積されている。
【００３９】
位置情報登録部３３は、位置情報データベース３９に対するデータベースアクセスモジュールであり、通知取得部３２が取得した情報を位置情報データベース３９に対して書き込むとともに、分配量決定部３４の要求に応じて、蓄積されたデータを抽出し、読み出す機能を有している。
【００４０】
分配量決定部３４は、位置情報データベース３９に蓄積された情報に基づいて、各通信経路に対するトラフィック分配量を決定するモジュールであり、決定されたトラフィック量は、データ分配部３５に出力される。
【００４１】
データ分配部３５は、第２の通信端末６から送信されたデータを、データの分配に関する情報に基づいて、複数の通信経路に分配し、第１の通信端末１に対して送信するモジュールであり、中継部３８が受信したデータを分配した後、切替部３１を通じて、各通信経路に送出する。
【００４２】
シーケンス管理部３６は、シーケンス情報を取得し、記憶するモジュールであり、受信したデータに付加されたシーケンス情報を解析し、その解析結果に基づいて、復元するデータ順序等を取得し、その解析結果をデータ復元部３７に出力する。また、このシーケンス管理部３６は、データ分配部３５により分配されたデータに対して、分配されたデータを復元するためのシーケンス情報を付加する機能も有している。
【００４３】
データ復元部３７は、通信端末１において分配され、複数の通信経路を介して受信されるデータを受信し、位置情報データベース３９に蓄積された各情報に基づいてデータを復元するモジュールであり、復元したデータは、中継部３８を通じて、第２の通信端末６に送出される。
【００４４】
中継部３８は、復元されたデータを、第２の通信端末６に対して転送し、中継するモジュールであり、一般回線やインターネット５を通じて、第２の通信端末６に接続され、第１の通信端末１からのデータを第２の通信端末６に転送する通信モジュールである。
【００４５】
（データ通信システムを用いたデータ通信方法）
そして、上記構成を有するデータ通信システムを用いたデータ通信方法は、以下の手順による。なお、ここでは、通信端末１は、エリア１２からエリア１３に向けて移動している場合を例に説明する。
【００４６】
先ず、無線アクセス網のエリア１２と、それとは別な無線アクセス網のエリア１１が重複している位置に在圏している通信端末１において、それぞれの無線アクセス網に対して無線リンクを確立する。具体的には、通信インターフェース１０４ａ及び１０４ｂから無線アクセスシステム２１及び２２に対して接続を確立する。
【００４７】
この無線リンク確立後、通信端末１は、位置情報取得部１０７により、それぞれの無線アクセス網を介して位置情報であるＣｏＡ（１）とＣｏＡ（２）を取得する。
【００４８】
これと並行して、通信端末１は、伝送容量取得部１０８により、各無線アクセス網からの報知情報に基づいて、各無線アクセス網が提供している、１ユーザが使用可能な伝送容量に関する情報を取得する。なお、この伝送容量は、加入契約時に、それぞれの無線アクセス網で１ユーザが使用可能な伝送容量の情報を取得し、伝送容量取得部１０８に記憶されたものであってもよい。
【００４９】
次いで、伝送容量に関する情報に基づいて、通信端末１は、分配量決定部１０９により、各無線アクセス網に対して送受信するトラフィックの割合を決定し、その情報を記憶するとともに、この決定された割合をデータ分配部１１０に通知する。なお、本実施形態では、１つのセッションを複数のアクセスシステムを用いて通信する。
【００５０】
その後、通信端末１は、通知部１０６により、中継装置３に対して分配量決定部１０９が決定したデータの分配量に関する情報を含めた位置登録メッセージを、中継装置３に送出する。ここで用いる位置登録メッセージは、既存のＭｏｂｉｌｅ　ＩＰのメッセージをベースとしたものであり、従来のデータ形式に、分配量を記述するためのフィールドが追加されている。
【００５１】
次いで、通信端末１において、データ分配部１１０により、オペレーションシステム１０３からのデータを分配し、切替部１０５から各通信インターフェース１０４ａ〜１０４ｄを通じて、データの送信を行う。この通信端末１からデータを送信する際、シーケンス管理部１１１において、データの順序逆転を考慮して、Ｍｏｂｉｌｅ　ＩＰの拡張技術であるリバーストンネリング技術［３］を用いるとともに、送信パケットにシーケンス番号を付与する。
【００５２】
そして、位置登録メッセージを受信した中継装置３は、位置情報データベース３９に格納された位置情報テーブルに、通信端末１の位置情報及び各通信網に対するトラフィック分配量を登録する。以降、この中継装置３が受信したパケットについては、上記位置情報テーブルに従ってトラフィックが振り分けられ、それぞれの無線アクセス網に対して転送される。
【００５３】
本実施形態においては、この中継装置３による転送の際、シーケンス管理部３６において、シーケンス情報を取得し、このシーケンス情報に基づいて、データの順序の並び替えを行い、通信相手である第２の通信端末６に対して、データを転送する。
【００５４】
（変更例）
なお、本実施形態では、シーケンス情報を、第１の通信端末１において付加したが、本発明はこれに限定されるものではなく、中継装置３におけるデータ転送時に、シーケンス番号を付与するようにしてもよい。
【００５５】
（作用・効果）
以上説明した本実施形態に係るデータ通信システム及びデータ通信方法によれば、通信端末１及び通信端末２間において、データを送受信する際に、各通信経路の能力に応じて全体のトラフィックを振り分けることにより、同一パケットの二重受信や無線リソースの浪費を伴わず、高帯域な通信が可能となる。
【００５６】
また、本実施形態では、通信端末１は、シーケンス管理部１１１や３６により、分配されたデータに対してシーケンス情報を付加し、このシーケンス情報に基づき、分配されたデータを復元するため、送信先に到着するデータの順序が逆転するようなときであっても、適切にデータの復元を行うことができる。
【００５７】
［第２実施形態］
次いで、本発明の第２実施形態について説明する。本実施形態では、送受信されるデータの属性を判別することにより、セッション毎に、異なる無線アクセス網を用いてデータの送受信を行うとともに、そのセッションで用いているアプリケーション毎に、或いは、そのセッションを用いて通信しているユーザ毎に、無線アクセス網を使い分けることを特徴とする。図５は、本実施形態に係る通信端末内のミドルウェアの構成を示すブロック図であり、図６は、本実施形態に係る中継装置の内部構成を示すブロック図である。
【００５８】
詳述すると、本実施形態に係る通信端末１の通知部１０６は、位置情報登録の際に、どの属性のデータを、どの通信経路に振り分けるかについての条件を通知する機能を有している。
【００５９】
また、本実施形態において、通信端末１は、上述した第１実施形態で説明した各モジュールの他に、図５に示すような、ＯＳインターフェース１１３から出力されるデータの属性を解析する属性解析部１１３ａをさらに備えており、解析結果を分配量決定部１０９に出力するようになっている。分配量決定部１０９は、属性解析部１１３ａが取得した属性について分配の方式を決定する。
【００６０】
そして、本実施形態に係る位置管理テーブルには、表２に示すように、上述した第１実施形態で説明した情報の他に、どの属性のデータを、どの通信経路に振り分けるかについての条件を登録する項目をさらに有しており、通知取得部３２で取得される条件を、ＨｏｍｅＡｄｄｒに関連付けて記録する。
【００６１】
【表２】
2004096247.tif 000004
このデータの属性は、本実施形態では、アプリケーション毎に振り分ける場合と、ユーザ毎に振り分ける場合と、及び上記第１実施形態と同様に、割合で振り分ける場合とが記録されている。アプリケーション毎に振り分ける場合には、例えば、トランスポートレイヤのポート番号によりアプリケーションの種別を識別し、ユーザ毎に振り分ける場合には、ユーザを識別するＩＰアドレスにより識別する。
【００６２】
中継装置３の通知取得部３２は、第１の通信端末１から、上述した位置情報や伝送容量に関する情報の他に、どの属性のデータを、どの通信経路に振り分けるかについての条件を取得する機能を有しており、取得された条件を、位置情報登録部３３を通じて、位置情報データベース３９に登録する。
【００６３】
また、本実施形態において、中継装置３は、上述した第１実施形態で説明した各モジュールの他に、図６に示すような、中継部３８で受信されたデータの属性を解析する属性解析部３８ａをさらに備えており、解析結果を分配量決定部３４に出力するようになっている。分配量決定部３４は、属性解析部３８ａが取得した属性について、位置情報データベース３９に登録された条件を照合し、分配の方式を決定する。
【００６４】
なお、この第２実施形態では、セッション毎に分配するため、トラフィック量の割合を決定する必要はない。また、本実施形態では、受信側でのデータの順序逆転は基本的に起こらないことから、第１実施形態のようにシーケンス情報を付与する必要がなく、上述したシーケンス管理部１１１による処理や、Ｍｏｂｉｌｅ　ＩＰの技術であるリバーストンネリング技術による処理を省略してもよい。
【００６５】
本実施形態に係る通信端末１の内部構成は、上述した第１実施形態のものとほぼ同様であるが、上記通知部１０６が、ユーザ毎に無線アクセス網を使い分けるために、位置登録の際に相手ユーザのＩＰアドレスなど識別子を含める機能を有している。中継装置３では、その情報を元に、ユーザ毎に使い分けるのか、アプリケーション毎に使い分けるか、或いは１つのセッションを単純に分割して無線アクセス網を使い分けるのかという判断を行う。
【００６６】
さらに、通信端末１からデータを送信する際には、ＯＳインターフェース１１３により、データの属性を判別し、この判別結果に基づいて、分配量決定部１０９により、トラフィック分配量を決定し、データ分配部１１０にデータの分配をさせる。
【００６７】
このような第２実施形態に係るデータ通信システム及びデータ通信方法によれば、送受信されるデータの属性と、分配する通信経路とを対応付ける情報に基づいて、データを分配するため、送信先へデータを送信する際に、例えば、ＯＳ上で実行されるアプリケーションや、通信経路を使用するユーザなど、データの属性に応じて通信経路を使い分けることでき、広帯域かつ高効率な通信が可能となる。
【００６８】
【発明の効果】
以上、本発明のデータ通信システム、データ通信方法、通信端末及び中継装置によれば、無線アクセス網の能力に応じて全体のトラフィックを単純に振り分けたり、セッション毎或いはユーザ毎にアクセス網を使い分けたり、ＡＰＬ毎にアクセス網を使い分けたりすることが可能となり、同一パケットの二重受信や無線リソースの浪費を伴わず、高帯域な通信が可能となる。
【図面の簡単な説明】
【図１】第１実施形態に係るデータ通信システムのネットワーク構成図である。
【図２】第１実施形態に係る、移動通信端末の内部構成を示したブロック図である。
【図３】第１実施形態に係る、移動通信端末内のミドルウェアの構成を示したブロック図である。
【図４】第１実施形態に係る、中継装置の内部構成を示したブロック図である。
【図５】第２実施形態に係る、移動通信端末内のミドルウェアの構成を示したブロック図である。
【図６】第２実施形態に係る、中継装置の内部構成を示したブロック図である。
【符号の説明】
１…第１の通信端末
２…通信端末
３…中継装置
４…ＩＰネットワーク
５…インターネット
６…第２の通信端末
１１〜１２…無線アクセス網（エリア）
２１〜２４…無線アクセスシステム
３１…切替部
３２…通知取得部
３３…位置情報登録部
３４…分配量決定部
３５…データ分配部
３６…シーケンス管理部
３７…データ復元部
３８…中継部
３８ａ…属性解析部
３９…位置情報データベース
１０１…アプリケーション
１０２…オペレーションシステム
１０３…ミドルウェア
１０４ａ〜１０４ｄ…通信インターフェース
１０５…切替部
１０６…通知部
１０７…位置情報取得部
１０８…伝送容量取得部
１０９…分配量決定部
１１０…データ分配部
１１１…シーケンス管理部
１１２…データ復元部
１１３…ＯＳインターフェース
１１３ａ…属性解析部
【図１】
2004096247.tif 000005
【図２】
2004096247.tif 000006
【図３】
2004096247.tif 000007
【図４】
2004096247.tif 000008
【図５】
2004096247.tif 000009
【図６】
2004096247.tif 000010